(57)【要約】【課題】従来の連鎖体の組み付け方法は、連結された連鎖体の側面には連結ピンの穴が見えるため装飾効果を著しく低下させていた。【解決手段】ヒンジ挿入口１１ｄを有する中駒１１と、該中駒１１を挟むようにして配置した一対の外駒２１と、これらの中駒１１と外駒２１を連結する連結治具３１とを備えた連鎖部材１であって、前記連結治具３１は、前記外駒２１と連結するための頭部３１ｂと、その反対側に備えたL字状のカギ形ヒンジ部３１ｂを有し、前記中駒１１のヒンジ挿入口１１ｄに両側から前記連結治具３１を挿入して双方のカギ形ヒンジ部３１ａを係合させるとともに、前記連結治具３１の頭部３１ｂにそれぞれ外駒２１を連結する。【選択図】図１
2005131055.tif 000002
【特許請求の範囲】
【請求項１】
ヒンジ挿入口を有する中駒と、該中駒を挟むようにして配置した一対の外駒と、これらの中駒と外駒を連結する連結治具とを備えた連鎖部材であって、前記連結治具は、頭部とその反対側に備えたL字状のカギ形ヒンジ部を有し、前記中駒のヒンジ挿入口に両側から前記連結治具を挿入して双方のカギ形ヒンジ部を係合させるとともに、前記連結治具の頭部にそれぞれ外駒を備えたことを特徴とする連鎖部材。
【請求項２】
前記ヒンジ挿入口内に、カギ形ヒンジ部の係合を固定するための固定ピンを配置したことを特徴とする請求項１記載の連鎖部材。
【請求項３】
前記中駒を複数並設し、前記連結治具で連結したことを特徴とする請求項１または２記載の連鎖部材。
【請求項４】
前記連結治具の頭部に外駒を一体的に形成したことを特徴とする請求項１記載の連鎖部材。
【請求項５】
請求項１〜４のいずれかに記載の連鎖部材を複数連結したことを特徴とする連鎖体。
【請求項６】
前記中駒が連結ピンの挿入口を有し、複数の連鎖部材同士を連結ピンで連結したことを特徴とする請求項５記載の連鎖体。
【請求項７】
前記中駒の長さ方向における少なくとも片側の底面に、曲面または斜面を備えたことを特徴とする請求項５または６記載の連鎖体。
【請求項８】
前記外駒の長さ方向における両端部に曲面状の凹部及び凸部を形成し、連結した際に前後の外駒同士が重なるようにしたことを特徴とする請求項５〜７のいずれかに記載の連鎖体。
【請求項９】
前記外駒の底面側に、連結後の丸まりを規制するための斜面を設けたことを特徴とする請求項５〜８のいずれかに記載の連鎖体。
【発明の詳細な説明】
【技術分野】
【０００１】
本発明は、装飾品、機械装置等の連結を要する部品をつなぐ連鎖部材及びこれらを複数用いた連鎖体に関するもので、特に、装飾用の胸架、リング、チェーン、ブレスレット、アンクレット、腕時計用バンド等に使用できる。
【背景技術】
【０００２】
従来、腕時計用バンドなどに使用されている連鎖体は、外駒や中駒と呼ばれるバンド駒から構成され、前記外駒と中駒とを連結するために各々のバンド駒の幅方向に貫通穴を設けて、連結ピンを挿入し、各バンド駒を連結している。すなわち、従来の腕時計用バンドなどの連鎖体は各々の駒を連結するために駒の側面に貫通する穴が設けられ、この穴に連結ピンを通しＣリング等を用いて組み付けたり、同様にカプサと呼ばれる凹凸のついたピンとチューブを用いて組み付けたりしていた。
【０００３】
しかしながら、このような連結方法では、外駒に前記貫通穴がそのまま露出するために、外観の装飾性を著しく低下させるという問題があった。そこで、近年装飾効果を向上させるため、各種連結方法が提示されている。
【０００４】
例えば、特許文献１には駒の内部に貫通穴を形成し、前記貫通穴の内部で連結具と駒を挿着し、前記連結具を連設する事で、連結体の外観を低下させていた穴を不要とする方法が示されている。
【０００５】
また、特許文献２では、横方向に貫通する通し穴を側面の両端部に設けたセンター駒を複数個直列に並べ、両端部に段部の形成された連結ピンをその両端部が外方に突出した状態でセンター駒の各通し穴に挿入し、前記突出部を外駒のザグリ穴に側面から挿入し、連結ピンの段部に係合する突起を設けたストッパ片を、外駒の裏面から前記ザグリ穴に差し込んで連結ピン、外駒、センター駒を保持するものが提案されている。そして、特許文献２は、時計の駆動部である時計ケース付近のバンド駒では、バンド駒端部の貫通穴は無く、外観上装飾性を向上したものとなっている。
【特許文献１】実開平５−５５９１０号公報
【特許文献２】特開２００１−１９７９１１号公報
【発明の開示】
【発明が解決しようとする課題】
【０００６】
しかしながら、従来のＣリングやカプサを用いた組み付け方法は、連結された連鎖体の側面に連結ピンの穴が見えるため装飾効果を著しく低下させていた。
【０００７】
また、特許文献１に記載されている連結構造は、バンド駒が一列で構成されたデザインの場合は有効であるが、二列以上で構成されたデザインには適用できないという問題があった。例えば、バンド幅方向に複数の中駒と外駒を有する腕時計用バンドにおいて、前記中駒と外駒をバンドの長さ方向に交互にずらして配列するデザインのものを作製する事が不可能であった。そのため、小さなバンド駒を連結する製品のデザイン展開ができなという問題があった。
【０００８】
また、特許文献２のバンド駒の構造には次に述べる問題があった。腕時計用バンドのように個人で使用されるものであれば、個人の腕の太さにより腕時計用バンドの長さを調整する必要がある。その調整を行うために腕時計用バンドのバックル側から数個の駒には、長さ調整が可能なように、従来からバンド駒の端部に形成された連結ピンを抜く為の貫通の穴が必要になり外観を損ねるという問題があった。この場合、腕時計用バンドの長さ調節の為に、バンド駒を着脱する為の貫通穴を具備したバンド駒が最低でも３駒〜５駒ほど必要な構造となっており、装飾性を著しく低下させていた。また、前記連結ピンを固定するための前記ストッパ片は金属で構成されており、しかも、腕に接触する側に設けられているため、従来から問題視されている金属アレルギーを回避する目的で、バンド駒自体をセラミックスで構成したとしても金属アレルギーの回避策にはならなかった。また、金属アレルギーを回避する方法として、ストッパ片を樹脂で製作することが考えられるが、樹脂ではストッパ片としての十分な強度が確保できず、腕時計用バンドを長期に渡り使用するだけの信頼性に問題があった。さらに、各々の外駒の底面側、すなわち腕に接触する面側に連結ピンとストッパ片を備えるザグリ穴が必要であり、しかも、駒を連結する作業は非常に煩雑となり、連結具の費用と連結するための工賃が高価になるなどの問題があった。
【課題を解決するための手段】
【０００９】
そこで本発明は、ヒンジ挿入口を有する中駒と、該中駒を挟むようにして配置した一対の外駒と、これらの中駒と外駒を連結する連結治具とを備えた連鎖部材であって、前記連結治具は、頭部とその反対側に備えたL字状のカギ形ヒンジ部を有し、前記中駒のヒンジ挿入口に両側から前記連結治具を挿入して双方のカギ形ヒンジ部を係合させるとともに、前記連結治具の頭部にそれぞれ外駒を備えたことを特徴とする。
【００１０】
また、前記ヒンジ挿入口内に、カギ形ヒンジ部の係合を固定するための固定ピンを配置したことを特徴とする。さらに、前記中駒を複数並設し、前記連結治具で連結したことを特徴とする。
【００１１】
また、前記連結治具の頭部に外駒を一体的に形成したことを特徴とする。
【００１２】
また、本発明は前記連鎖部材を複数連結して連鎖体を構成したことを特徴とする。
【００１３】
さらに、前記中駒が連結ピンの挿入口を有し、複数の連鎖部材同士を連結ピンで連結したことを特徴とする。また、前記中駒の長さ方向における少なくとも片側の底面に、曲面または斜面を備えたことを特徴とする。さらに、前記外駒の長さ方向における両端部に曲面状の凹部及び凸部を形成し、連結した際に前後の外駒同士が重なるようにしたことを特徴とする。また、前記外駒の底面側に、連結後の丸まりを規制するための斜面を設けたことを特徴とする。
【発明の効果】
【００１４】
本発明によれば、ヒンジ挿入口を有する中駒と、該中駒を挟むようにして配置した一対の外駒と、これらの中駒と外駒を連結する連結治具とを備えた連鎖部材であって、前記連結治具は、頭部とその反対側に備えたL字状のカギ形ヒンジ部を有し、前記中駒のヒンジ挿入口に両側から前記連結治具を挿入して双方のカギ形ヒンジ部を係合させるとともに、前記連結治具の頭部にそれぞれ外駒を備えて連鎖体を構成したことによって、連鎖体を小さな駒で連結することが容易になり、例えば腕時計用バンド駒のデザインを多様にすることができるようになる。さらに、連鎖体の長さ調節のために必要であった駒の端部に連結している連結ピンを抜く為の貫通穴が不必要となり装飾性の優れた連鎖体を得ることができる。加えて、連結ピンを支持するための金属製のストッパーが不要であるため、金属アレルギーを防止することができ、樹脂などを用いた場合の強度不足を解消でき、高い信頼性を得ることができる。また、連鎖部材を構成する外駒、中駒を、特殊な放電加工技術や細穴加工で制作する必要がなく、容易に作製することができ、駒を連結する作業は非常に容易で、連結具の費用と連結するための工賃が安価になるなどの効果が得られる。
【００１５】
また、本発明によれば、前記外駒の長さ方向における両端部に曲面状の凹部及び凸部を形成し、連結した際に前後の外駒同士が重なるようにしたことによって、装飾性にすぐれた連鎖体を得ることができる。
【００１６】
さらに、前記外駒の底面側に、連結後の丸まりを規制するための斜面を設けたことによって、連鎖体が必要以上に丸まることを防止できる。
【発明を実施するための最良の形態】
【００１７】
本発明の連鎖部材及びこれを用いた連鎖体の実施形態を、一例である時計用バンドに基づいて説明する。
【００１８】
図１は本発明の時計用バンドに用いる連鎖部材１を示す組み立て前の平面図、図２は組み立て後の平面図である。
【００１９】
この連鎖部材１は、時計用バンドの中央部に位置する部位に配置された複数の中駒１１（１１ａ、１１ｂ）と、該中駒１１の両外側に配置された外駒２１と、前記中駒１１を互いに連結し、前記外駒２１をも連結するカギ型ヒンジ部３１ａを備えた二つの連結治具３１と、この連結治具３１と前記中駒１１とを固定するための固定ピン４１とから構成されている。
【００２０】
この連鎖部材１は、幅方向に連結ピン挿入口１１ｃとヒンジ挿入口１１ｄを設けた中駒１１を３個並べ、この並べた３個の中駒１１の内、中央に位置する中駒１１ａを他の２個の中駒１１ｂとは相対する向きに並べて、かつ前記3個の中駒に設けたヒンジ挿入口１１ｄを連通した状態で並べてある。そして、前記連通した３個のヒンジ挿入口１１ｄに、両端側から、連結治具３１のカギ型ヒンジ部３１ａを挿入し、前記ヒンジ挿入口１１ｄの中央部でカギ型ヒンジ部３１ａを互いに係止した後、上記ヒンジ挿入口１１ｄとカギ型ヒンジ部３１ａとの隙間に固定ピン４１を挿入して上記係止を固定した後、連結治具３１の頭部３１ｂに外駒２１を連結したものである。
【００２１】
ここで、図３（ａ）〜（ｄ）にヒンジ挿入口１１ｄ内における、連結治具３１と固定ピン４１の挿入、係止方法を示す。まず、図３（ａ）のように連結治具３１をヒンジ挿入口１１ｄに中駒の両側から位置をずらせて挿入し、図３（ｂ）のように連結治具３１をヒンジ挿入口１１ｄの奥まで挿入した状態で、図３（ｃ）のように連結治具３１を横に移動させて互いのカギ型ヒンジ部３１ａ同士を係止した状態とし、図３（ｄ）のように固定ピン４１をヒンジ挿入口１１ｄと連結治具３１との隙間に差し込んで、連結治具３１の係止構造を固定する。ここで、固定ピン４１の断面形状は、円形でも角形でもよく、前記隙間に合うように作製すればよい。
【００２２】
図４、５、６にそれぞれ外駒２１、連結治具３１、中駒１１の詳細な形状を示す。
【００２３】
図４に示すように、外駒２１には、中駒１１と相対する側の側面に、長さ方向の一方端より他方端への途中まで、ザグリ溝２１ａを形成し、該ザグリ溝２１ａと前記連結治具３１の頭部３１ｂとを、スライドさせながら嵌着してある。
【００２４】
図５に示すように、連結治具３１の頭部３１ｂは、略四角型で構成され、前記中駒１１の並び方向に1段厚みの厚い段差部３１ｄを設けるとともに、前記連結治具３１を固定するための固定ピン４１をヒンジ挿入口１１ｄに挿入するための案内溝３１ｃを形成してある。また、前記段差部３１ｄは中駒１１の並び方向とは垂直な方向に、前記頭部３１ｂの長さ方向に渡って形成してある。
【００２５】
そして、前記ヒンジ挿入口１１ｄの中央部でカギ型ヒンジ部３１ａを互いに係止できるようにするためには、前記ヒンジ挿入口１１ｄの幅をカギ型ヒンジ部３１ａの幅よりも大きく形成する必要があるために、番のカギ型ヒンジ３１ａを係止するとともに、これらが前記ヒンジ挿入口１１ｄ内部で動かないようにするための固定ピン４１を前記案内溝３１ｃから差し込んで、ヒンジ挿入口１１ｄ内部の隙間を封止してある。
【００２６】
また、図６に示すように、中駒１１はヒンジ挿入口１１ｄと連結ピン挿入口１１ｃを有したものである。
【００２７】
次に前記連鎖部材１を複数連結した連鎖体について説明する。
【００２８】
図７に示すように、複数の連鎖部材１を互いの中駒１１の凹凸が係合するように配置し、３つ並べた中駒１１の両側の中駒１１ｂと、連結する次の連鎖部材１の中央部の中駒１１ａとの連結ピン挿入口１１ｃを連通させて、連結ピン５１を挿通することにより連鎖体７１を構成することができる。
【００２９】
なお、実際の組み立て時には、外駒２１を取り付ける前の状態で上記の連結を行い、連結ピン５１を挿入した後で外駒２１を取り付けることで、連結ピン５１を隠すことができ、両側からは連結ピン５１が見えず、装飾性に優れるものである。
【００３０】
また、本発明の連鎖体は、図６に示すように、中駒１１の長さ方向の片側底面に曲面１１ｅまたは斜面を備えることによって、連鎖体７１を連ねた長さ方向に曲面を形成し、容易に腕などに巻き付けることを可能にできる。すなわち、前記長さ方向の片側底面に曲面１１ｅを備えた中駒１１を用いることによって、連鎖した中駒１１間に間隙を設けることなく、連鎖体７１が曲面を有するようにすることが可能となるために、より連結ピン５１が見えにくくなり、装飾性に優れた連鎖体７１を得ることができる。
【００３１】
また、図４に示すように、外駒２１の長さ方向両側に曲面状の凹部２１ｄ、凸部２１ｃを備え、連結した際に前後の外駒２１同士の凹部２１ｄ，凸部２１ｃが重なるようにすることで、外駒２１同士が互いに密に連結された形態となるために装飾性にすぐれた連鎖体７１を得ることができる。
【００３２】
さらに、図８に示すように、外駒２１の底面側に該外駒２１に連結する別の外駒２１の回転を止めるためのストッパーとなる斜面２１ｂを設けることによって、連鎖体７１が必要以上に丸くならず、特定の曲率で曲面を有することができるようになる。
【００３３】
なお、前記中駒１１の連結ピン挿入口１１ｃやヒンジ挿入口１１ｄの形状については、上記実施形態に示したものにこだわるものではなく、貫通穴の断面形状が正方形や楕円形状などであっても本発明の範囲に含まれるものである。また、中駒１１及び外駒２１の形状に関しては、直方体や立方体さらには俵状であっても構わないが、連鎖体とした時に丸めやすいような形状にすることが好ましい。
【００３４】
なお、前記連鎖部材１を構成する中駒１１の数については３個の場合について説明したが、本発明は３個のみに限定するものではなく、１個あるいは２個以上のいずれであっても本発明の範疇であることはいうまでもない。複数の中駒２１を用いる場合は、一つ置きに交互に、中駒２１の方向を変えて並べればよい。
【００３５】
また、１個の中駒のみを使用した連鎖部材の実施形態として、図９に示すように、３個の中駒を一体化したような形状の中駒８１を用いることもできる。この中駒８１を用いて図１０のような連鎖体９１を構成することができる。
【００３６】
さらに本発明の他の実施形態として、図１１に示すような構造とすることもできる。中駒６１は矩形状であり、ヒンジ挿入口６１ａと連結ピン挿入口６１ｂを備え、連結治具６２はカギ型ヒンジ部６２ａを有し、頭部に外駒６２ｂを一体的に形成している。これまでの実施形態と同様に、上記カギ型ヒンジ部６２ａ同士をヒンジ挿入口６１ａ内で連結した後、複数並べて連結ピン６３を連結ピン挿入口６１ｂに挿入して連結することにより連鎖体を構成することができる。
【００３７】
以上詳述した本発明の連鎖部材１及び連鎖体７１を形成する中駒１１および外駒２１はアルミニウム、スズ、真鍮などの一般的な金属、超硬合金、硬質合金、さらには金、銀、プラチナ、ロジウム及びこれらの内少なくともひとつを含む合金からなる貴金属、セラミックス、ガラス、樹脂、木材などさまざまな材料を用いることができる。それぞれ所定の大きさに裁断した後、前記連結ピン挿入口やヒンジ挿入口、ザグリ溝、案内溝などを形成すればよい。また、連結治具３１、固定ピン４１は金属製のものを用意し、また連結ピン５１については、一般の金属ピンを用いて製作すればよい。
【００３８】
中駒１１および外駒２１の材質がセラミックスである場合は、一般的な製造方法である粉末加圧成形法や射出成形法で前記貫通穴等も予め形成して作製すればよく、仮に、貫通穴などが予め形成できないとしても、所定形状に形成した後、マシニングセンタやボール盤などを用いて形成すればよい。
【００３９】
このようにして作製した中駒１１および外駒２１を、前記連結治具３１や固定ピン４１で組みあげれば本発明の連鎖部材１を形成することができ、これらを連結ピン５１で繋ぐと、連鎖体７１を組み上げることができる。
【００４０】
そして本発明の連鎖体を用いて、例えば、時計用バンドやブレスレット、アンクレットなどの装飾品などにセラミックスからなる中駒や外駒を用いて作製すれば、腕や足の肌に触れる部分には金属などが露出しないので、金属アレルギーなどを防止することができる。
【実施例】
【００４１】
以下、本発明の実施例を説明する。
【００４２】
実施例として、本発明の時計用バンドに用いる連鎖部材およびこれを用いた連鎖体を作製した。
【００４３】
まず、粉末加圧成形法を用いた一般的なセラミックスの製造方法を用いて、図６に示す中駒１１を幅４ｍｍ×長さ８．４ｍｍ×厚み３．５ｍｍでジルコニアセラミックスにより作製した。このとき、連結ピン挿入口１１ｃをφ０．９ｍｍの貫通穴、ヒンジ挿入口１１ｄを幅３．４ｍｍ×高さ０．８ｍｍの貫通穴で作製した。その後、得られた磁器を平面研削盤などの研削機械を用い所望の形状へと研削加工にて仕上げた。次いで鏡面加工を行い良好な光沢のある中駒１１を得た。また、同様の材質、寸法で図４に示す外駒２１を得た。
【００４４】
前述のようにして得られた中駒１１を３個用い前後の向きを互い違いに並べた。並べた中駒１１のヒンジ挿入口１１ｄに図５に示す連結治具３１を両側から挿入し、中駒１１ａの中央でカギ型ヒンジ部３１ａを係止させた。次いで連結治具３１に設けた案内溝３１ｃに固定ピン４１を挿入しカギ型ヒンジ部３１ａのガタつきをなくした。この案内溝３１ｃは断面を丸型に変更することも可能である。次に、連結された３個の中駒１１に挿入された連結治具３１の段差部３１ｄを、外駒２１のザグリ溝２１ａの中へスライド挿入した。この様にして図２に示す連鎖部材１を作製した。
【００４５】
次に、作製した連鎖部材１の中駒１１と外駒２１の間に別の連鎖部材１の中駒１１を各々配置し、中駒１１に備えた連結ピン挿入口１１ｃに中駒１１の幅寸法より約０．２ｍｍほど短い丸型の連結ピン５１を挿入し固定した。この丸型の連結ピン５１の長さを、並べた３個の中駒１１の合計幅寸法より短くするのは、連結ピン５１が長すぎると外駒２１をセットできなくなり、短すぎると中駒１１を連結する強度が弱くなるためである。
【００４６】
このような順に中駒１１、外駒２１を連結することで図７に示す本発明の連鎖体７１を作製した。このような連鎖体７１は、連鎖体７１の側面方向、上面方向及び底面方向のどの方向から見ても連結するための穴が見えない構造であり、従来から提案されている連鎖体に比べ装飾性を向上させることができる。
【００４７】
次に、次の実施例として、図９のような異形の中駒８１を用いて連結する場合は、中駒８１のヒンジ挿入口８１ａに連結治具３１のカギ型ヒンジ部３１ａを両側から挿入し、中駒８１の中央でカギ型ヒンジ部３１ａを係止させた。次に中駒８１の凸部８１ｂに、別の中駒８１の凹部８１ｃを合わせ、連結ピン挿入口８１ｄに中駒８１の幅寸法より約０．２ｍｍほど短い丸型の連結ピン５１を挿入し、各中駒８１同士を連結した。この連結ピン５１の長さを中駒８１の幅寸法より短くするのは、上述したように丸型の連結ピン５１が長すぎると外駒２１をセットできなくなり、短すぎると中駒８１を連結する強度が弱くなるためである。前述したとおり連結治具３１に設けられた案内溝３１ｃは丸形状に変更することも可能で、その場合は断面が四角型の固定ピン４１を丸型の固定ピンに変更するだけでよい。連結された中駒８１に挿入された連結治具３１の段差部３１ｄを外駒２１のザグリ穴２１ａの中へスライドさせて挿入した。
【００４８】
この様にして連鎖部材を作製し、前述と同様にして中駒８１の凸部８１ｂと凹部８１ｃを連結ピンで連結することにより、図９に示す本発明の別の実施例である連鎖体９１を作製した。この連鎖体９１も、側面方向、上面方向及び底面方向のどの方向から見ても連結するための穴が見えない構造であり、従来の連鎖体に比べ装飾性を向上させたものである。また、この連鎖体９１は、前述の図７の連鎖体７１に比べて、駒数が少ないため組み付けが容易であるという点でよりすぐれた効果を有している。
【産業上の利用可能性】
【００４９】
本発明の連鎖体は、側面方向、上面方向及び底面方向のどの方向から見ても連結するための穴が見えない構造であることから、従来の連鎖体に比べ装飾性を向上させていることから、装飾品の各種製品に適用できるとともに、機械設備などにおいても従来のチェーンなどに変えて、複数のパーツを連結する製品に使用できる。
【図面の簡単な説明】
【００５０】
【図１】本発明の連鎖部材の組み立て前の平面図である。
【図２】（ａ）は本発明の連鎖部材の組み立て後の側面図、（ｂ）は同じく平面図である。
【図３】（ａ）〜（ｄ）は本発明の連鎖部材の組み立て方法を説明するための図である。
【図４】（ａ）〜（ｃ）は本発明の連鎖部材を構成する外駒の３面図である。
【図５】（ａ）〜（ｃ）は本発明の連鎖部材を構成する連結治具の３面図である。
【図６】（ａ）〜（ｃ）は本発明の連鎖部材を構成する中駒の３面図である。
【図７】本発明の連鎖体を示す平面図である。
【図８】本発明の連鎖体を示す側面図である。
【図９】（ａ）は本発明の他の実施形態の中駒を示す側面図、（ｂ）は同じく平面図である。
【図１０】本発明の連鎖体の他の実施形態を示す平面図である。
【図１１】本発明の連鎖体の他の実施形態を示す平面図である。
【符号の説明】
【００５１】
１                      連鎖部材
１１（１１ａ、１１ｂ）  中駒
１１ｃ                  連結ピン挿入口
１１ｄ                  ヒンジ挿入口
１１ｅ                  曲面
２１                    外駒
２１ａ                  ザグリ溝
２１ｂ                  斜面
２１ｃ                  凸部
２１ｄ                  凹部
３１                    連結治具
３１ａ                  カギ型ヒンジ部
３１ｂ                  頭部
３１ｃ                  案内溝
３１ｄ                  段差部
４１                    固定ピン
５１                    連結ピン
７１                    連鎖体
８１                    中駒
８１ａ                  ヒンジ挿入口
８１ｂ                  凸部
８１ｃ                  凹部
８１ｄ                  連結ピン挿入口
９１                    連鎖体
【図１】
2005131055.tif 000003
【図２】
2005131055.tif 000004
【図３】
2005131055.tif 000005
【図４】
2005131055.tif 000006
【図５】
2005131055.tif 000007
【図６】
2005131055.tif 000008
【図７】
2005131055.tif 000009
【図８】
2005131055.tif 000010
【図９】
2005131055.tif 000011
【図１０】
2005131055.tif 000012
【図１１】
2005131055.tif 000013